(57)【要約】【課題】十分な演出時間を与えることができる遊技機を提供すること。【解決手段】演出グループ（ストーリー演出）に基づき演出内容が決定される変動ゲームにおいて、大当りとならない限り、演出グループの設定は、変更されない。また、ストーリー演出が実行された変動ゲームが大当りとなる場合、当該変動ゲームに係わる演出内容と大当り遊技に係わる演出内容が一繋がりのストーリー性を有するように、設定された演出グループに基づき、大当り遊技演出に係わる演出内容を決定するようにした。【選択図】図４
2015202355.tif 000002
【特許請求の範囲】
【請求項１】
変動ゲームが当りとなるか否かを判定する当り判定手段と、
前記当り判定手段の判定結果に基づき、変動ゲームに係わる遊技演出の演出内容を決定する演出内容決定手段と、
前記演出内容決定手段が演出内容を決定する際に決定可能な演出内容を特定する演出グループを設定する設定手段と、
変動ゲームが当りとなったとき、特定遊技を付与する特定遊技付与手段と、
前記特定遊技に係わる遊技演出の演出内容を決定する特定遊技内容決定手段と、
前記演出内容決定手段が決定した演出内容に基づき、変動ゲームに係わる遊技演出を実行させると共に、前記特定遊技内容決定手段が決定した演出内容に基づき、特定遊技に係わる遊技演出を実行させるように演出実行手段を制御する演出制御手段と、を備え、
前記設定手段により設定されている演出グループに基づき変動ゲームに係わる演出内容が決定される場合、前記演出内容決定手段が決定する変動ゲームに係わる演出内容は途中まで同様となる一方、当りか否かにより変更されるように構成されており、
前記特定遊技内容決定手段は、設定された演出グループに基づき演出内容が決定された変動ゲームが当りとなる場合、前記演出グループに基づき、前記特定遊技に係わる演出内容を決定することを特徴とする遊技機。
【請求項２】
前記演出内容決定手段は、設定された演出グループに基づき変動ゲームに係わる演出内容を決定する場合、演出内容の一部が異なる複数種類の演出内容の中から変動ゲームに係わる演出内容を決定可能に構成されており、
変動ゲームに係わる演出内容毎に、当り期待度が設定されていることを特徴とする請求項１に記載の遊技機。
【請求項３】
前記設定手段は、演出グループに基づき演出内容が決定された変動ゲームが当りとなった後の特定遊技中に、新たな演出グループを設定可能に構成され、
前記特定遊技内容決定手段は、演出グループに基づき演出内容が決定された変動ゲームが当りとなる場合、前記特定遊技中に新たに設定される演出グループを報知する演出を、前記特定遊技に係わる演出内容に含めることを特徴とする請求項１又は請求項２に記載の遊技機。
【発明の詳細な説明】
【技術分野】
【０００１】
本発明は、遊技機に関するものである。
【背景技術】
【０００２】
従来、遊技機では、複数種類の図柄を変動させて行う図柄変動ゲームを演出表示装置に表示させ、該図柄変動ゲームにおいて大当りを認識可能な図柄組み合わせを表示させた後に、遊技者が多数の遊技球を獲得し得る大当り遊技を付与するようになっている。そして、遊技機における図柄変動ゲーム中には、さまざまな遊技演出を実行させ、遊技者の興趣を向上させるように構成されている。
【０００３】
例えば、図柄変動ゲーム中、所定のストーリーに沿って演出が展開する遊技機が存在する（例えば、特許文献１）。この遊技機では、所定のストーリーの途中から、複数のシナリオに分岐するため、どのような展開となるかについて注目させ、遊技者を楽しませるようになっている。
【先行技術文献】
【特許文献】
【０００４】
【特許文献１】特開２０１３−１５８３９３号公報
【発明の概要】
【発明が解決しようとする課題】
【０００５】
ところで、図柄変動ゲーム毎にストーリーに沿って演出が実行される遊技機においては、図柄変動ゲームが大当りとなるときにストーリーが完結し、ハッピーエンドとなるのが普通である。すなわち、図柄変動ゲームの演出時間内にストーリーを完結させなければならなかった。その一方、遊技効率を考えると、図柄変動ゲームの演出時間は、あまり長くすることはできないという事情がある。
【０００６】
このため、短い演出時間内で、ストーリーを完結させなければならず、ストーリー自体の興趣をあまり向上させることができなかった。
この発明は、このような従来の技術に存在する問題点に着目してなされたものであり、その目的は、十分な演出時間を与えることができる遊技機を提供することにある。
【課題を解決するための手段】
【０００７】
上記問題点を解決する遊技機は、変動ゲームが当りとなるか否かを判定する当り判定手段と、前記当り判定手段の判定結果に基づき、変動ゲームに係わる遊技演出の演出内容を決定する演出内容決定手段と、前記演出内容決定手段が演出内容を決定する際に決定可能な演出内容を特定する演出グループを設定する設定手段と、変動ゲームが当りとなったとき、特定遊技を付与する特定遊技付与手段と、前記特定遊技に係わる遊技演出の演出内容を決定する特定遊技内容決定手段と、前記演出内容決定手段が決定した演出内容に基づき、変動ゲームに係わる遊技演出を実行させると共に、前記特定遊技内容決定手段が決定した演出内容に基づき、特定遊技に係わる遊技演出を実行させるように演出実行手段を制御する演出制御手段と、を備え、前記設定手段により設定されている演出グループに基づき変動ゲームに係わる演出内容が決定される場合、前記演出内容決定手段が決定する変動ゲームに係わる演出内容は途中まで同様となる一方、当りか否かにより変更されるように構成されており、前記特定遊技内容決定手段は、設定された演出グループに基づき演出内容が決定された変動ゲームが当りとなる場合、前記演出グループに基づき、前記特定遊技に係わる演出内容を決定することを要旨とする。
【０００８】
上記遊技機において、前記演出内容決定手段は、設定された演出グループに基づき変動ゲームに係わる演出内容を決定する場合、演出内容の一部が異なる複数種類の演出内容の中から変動ゲームに係わる演出内容を決定可能に構成されており、変動ゲームに係わる演出内容毎に、当り期待度が設定されているようにしてもよい。
【０００９】
上記遊技機において、前記設定手段は、演出グループに基づき演出内容が決定された変動ゲームが当りとなった後の特定遊技中に、新たな演出グループを設定可能に構成され、前記特定遊技内容決定手段は、演出グループに基づき演出内容が決定された変動ゲームが当りとなる場合、前記特定遊技中に新たに設定される演出グループを報知する演出を、前記特定遊技に係わる演出内容に含めるようにしてもよい。
【発明の効果】
【００１０】
本発明によれば、十分な演出時間を与えることができる。
【図面の簡単な説明】
【００１１】
【図１】パチンコ遊技機を示す正面図。
【図２】（ａ）及び（ｂ）は、スペックを示す図。
【図３】パチンコ遊技機の電気的構成を示すブロック図。
【図４】（ａ）は、ストーリー演出を説明するための図、（ｂ）は、ストーリー演出を伴う変動ゲームとその後の大当り遊技における演出内容を示す図。
【図５】（ａ）〜（ｇ）は、ストーリー演出の演出態様を示す図。
【図６】（ａ）〜（ｃ）は、選択演出の演出態様を示す図。
【発明を実施するための形態】
【００１２】
以下、遊技機としてのパチンコ遊技機の一実施形態を説明する。
図１に示すように、パチンコ遊技機１０には、遊技盤ＹＢが備えられている。パチンコ遊技機１０には、発射ハンドルＨＤが備えられており、発射ハンドルＨＤが回動動作されることにより、遊技盤ＹＢへ遊技球が発射される。
【００１３】
遊技盤ＹＢには、複数の発光部を有する特別図柄表示装置１１が配設されている。この特別図柄表示装置１１では、複数種類の図柄（特別図柄）を変動させて表示する変動ゲーム（特別図柄変動ゲーム）が行われる。
【００１４】
本実施形態において特別図柄表示装置１１には、複数種類の特別図柄の中から、当り抽選の抽選結果に対応する１つの特別図柄が選択され、その選択された特別図柄が変動ゲームの終了によって停止表示される。特別図柄には、大当りを認識し得る大当り図柄と、はずれを認識し得るはずれ図柄とに分類される。大当り図柄が停止表示された場合、遊技者には、大当り遊技（特定遊技）が付与される。
【００１５】
また、遊技盤ＹＢには、画像を表示する演出表示装置１３が配設されている。演出表示装置１３では、変動ゲームに関連する表示演出が行われる。表示演出として、具体的には、複数種類の飾り図柄を複数列（本実施形態では３列）で変動させる飾り図柄変動ゲームが行われる。
【００１６】
演出表示装置１３には、各列毎に複数種類の飾り図柄が変動表示及び停止表示可能に構成されている。そして、演出表示装置１３は、特別図柄表示装置１１に比較して大きい表示領域で構成されるとともに、飾り図柄は特別図柄に比較して遥かに大きく表示される。このため、遊技者は、演出表示装置１３に停止表示された図柄組み合わせから大当り又ははずれを認識できる。演出表示装置１３に停止表示された全列の図柄が同一種類の場合には、その図柄組み合わせから大当り遊技が付与される大当りを認識できる。この大当りを認識できる図柄組み合わせが飾り図柄による大当りの図柄組み合わせ（大当り表示結果）となる。大当りの図柄組み合わせが停止表示されると、遊技者には、変動ゲームの終了後に大当り遊技が付与される。一方、演出表示装置１３に停止表示された全列の図柄が同一種類でない場合には、その図柄組み合わせからはずれを認識できる。このはずれを認識できる図柄組み合わせが飾り図柄によるはずれの図柄組み合わせ（はずれ表示結果）となる。
【００１７】
また、本実施形態において、演出表示装置１３における各列は、変動ゲームが開始すると、予め定めた変動方向（縦スクロール方向）に沿って飾り図柄が変動表示されるようになっている。そして、変動ゲームが開始すると（各列の飾り図柄が変動を開始すると）、演出表示装置１３において遊技者側から見て左列（左図柄）→右列（右図柄）→中列（中図柄）の順に飾り図柄が停止表示されるようになっている。そして、停止表示された左図柄と右図柄が同一種類の場合には、その図柄組み合わせ（［１↓１］など、「↓」は変動中を示す）からリーチ状態を認識できる。リーチ状態は、複数列のうち、特定列（本実施形態では左列と右列）の飾り図柄が同一種類となって停止表示され、かつ前記特定列以外の列（本実施形態では中列）の飾り図柄が変動表示されている状態である。このリーチ状態を認識できる図柄組み合わせが飾り図柄によるリーチの図柄組み合わせとなる。また、本実施形態では、変動ゲームの開始後、最初に飾り図柄を停止表示させる左列が第１停止表示列になるとともに、次に飾り図柄を停止表示させる右列が第２停止表示列になり、さらに最後に飾り図柄を停止表示させる中列が第３停止表示列となる。
【００１８】
また、演出表示装置１３には、特別図柄表示装置１１の表示結果に応じた図柄組み合わせが最終的に停止表示される。より詳しくは、特別図柄表示装置１１に停止表示される特別図柄と、演出表示装置１３に最終的に停止表示される飾り図柄による図柄組み合わせが対応する。例えば、特別図柄表示装置１１に大当り図柄が停止表示される場合には、演出表示装置１３にも大当りの図柄組み合わせが最終的に停止表示される。また、特別図柄表示装置１１にはずれ図柄が停止表示される場合には、演出表示装置１３にもはずれの図柄組み合わせが最終的に停止表示される。なお、特別図柄に対する飾り図柄の図柄組み合わせは一対一とは限らず、１つの特別図柄に対して複数の飾り図柄による図柄組み合わせの中から１つの飾り図柄による図柄組み合わせが選択される。
【００１９】
図１に示すように、演出表示装置１３の下方には、常時遊技球が入球可能な始動入賞口１４を備えた始動入賞装置１５が配設されている。また、始動入賞装置１５には、始動入賞口１４へ入球した遊技球を検知する始動センサＳＥ１が設けられている。始動センサＳＥ１が始動入賞口１４に入球した遊技球を検知することを契機に、変動ゲームの始動条件が成立し得る。また、始動センサＳＥ１が始動入賞口１４に入球した遊技球を検知することを契機に、予め定めた個数の賞球としての遊技球の払出条件が成立する。
【００２０】
また、演出表示装置１３の右下方（始動入賞口１４の右方）には、遊技球が入球可能な大入賞口１９を備えた大入賞装置２０が備えられている。また、大入賞装置２０には、大入賞口１９へ入球した遊技球を検知するカウントセンサＳＥ３が配設されている。カウントセンサＳＥ３が大入賞口１９に入球した遊技球を検知することにより、予め定めた個数の賞球としての遊技球の払出条件が成立する。
【００２１】
また、大入賞装置２０には、大入賞口ソレノイドＳＯＬ１の作動により開閉動作を行う大入賞口扉２１が備えられている。大入賞口１９は、常には大入賞口扉２１が閉状態とされて閉鎖されている。そして、大当り遊技が付与されると、付与された大当り遊技の種類に応じて大入賞口扉２１が開状態となり、大入賞口１９が開放され、その開放により遊技球の入球が許容される。このため、遊技者は、多数の賞球を獲得できるチャンスを得ることができる。本実施形態において大当り遊技は、多数の賞球を獲得できるチャンスを得られることから、遊技者に有利な状態となる。そして、この大当り遊技は、内部抽選で大当りが決定し、変動ゲームにて大当り図柄（大当り表示結果）が停止表示されることを契機に付与される。
【００２２】
図１に示すように、遊技盤ＹＢには、保留表示装置２２が配設されている。保留表示装置２２は、実行が保留されている変動ゲームの数を示すものである。具体的には、保留表示装置２２は、始動入賞口１４に入球することにより変動ゲームの始動条件が成立した一方で、変動ゲームの実行条件が未だ成立していないことから実行（開始）が保留されている変動ゲームの数、所謂、始動保留の記憶数（以下、保留記憶数）を示す。
【００２３】
次に、本実施形態における大当り遊技について、説明する。
大当り遊技は、変動ゲームにて大当り図柄が停止表示されて該ゲームが終了した後、開始される。大当り遊技が開始すると、オープニング時間が設定される。そして、このオープニング時間において、最初に大当り遊技の開始を示すオープニング演出が行われる。また、オープニング時間が終了すると、大入賞口１９が開放されるラウンド遊技が、予め定めた規定ラウンド数を上限として複数回行われる。１回のラウンド遊技中に大入賞口１９は、入球上限個数の遊技球が入賞するまでの間、又は規定時間が経過するまでの間、開放される。また、ラウンド遊技では、ラウンド演出が行われる。そして、すべてのラウンド遊技が終了すると、エンディング時間が設定される。また、このエンディング時間において、大当り遊技の終了を示すエンディング演出が行われる。また、エンディング時間が終了すると、大当り遊技は終了される。
【００２４】
そして、本実施形態では、大当り抽選に当選した場合、複数種類の大当り遊技の中から１つの大当り遊技が決定され、その決定された大当り遊技が付与されるようになっている。そして、複数種類の大当り遊技のうち、何れの大当り遊技が付与されるかは、大当り抽選に当選した際に決定する特別図柄（大当り図柄）の種類に応じて決定されるようになっている。
【００２５】
また、図１に示すように、本実施形態のパチンコ遊技機の前面側には、遊技中に遊技者の操作が許容される操作手段としての押し釦式の操作ボタンＢＴが設けられている。この操作ボタンＢＴが押下操作（操作）されると、操作ボタンＢＴは、演出制御基板３１（演出制御用ＣＰＵ３１ａ）に操作ボタンＢＴが操作されたことを示すボタン検知信号を出力する。そして、演出制御基板３１（演出制御用ＣＰＵ３１ａ）には、操作ボタンＢＴが接続されており、操作ボタンＢＴから操作ボタンＢＴが操作されたことを示すボタン検知信号が入力されるようになっている。
【００２６】
ここで、図２に基づき、パチンコ遊技機のスペックについて説明する。
図２（ａ）には、変動ゲームにおいて大当りとなったときに付与される大当り遊技について説明している。なお、図２において、「図柄」は、大当り図柄の種類を示し、「割合」は、大当り遊技が付与される割合を示し、「規定Ｒ数」は、規定ラウンド数を示す。また、「ＯＰ」は、オープニング時間を示し、「大入賞口の開放態様」は、１回のラウンド遊技において入球上限個数の遊技球の入球がない場合における大入賞口１９の最大開放時間を示す。また、「ＥＤ」は、エンディング時間を示す。
【００２７】
また、図２（ｂ）において、「大当り確率」は、大当り判定（抽選）の当選確率を示す。「始動センサ検知時」は、始動センサＳＥ１が遊技球を検知したときにおける払出し賞球数を示し、「カウントセンサ検知時」は、カウントセンサＳＥ３が遊技球を検知したときにおける払出し賞球数を示す。また、「大当り遊技における入球上限個数」は、１回のラウンド遊技において入球させることができる個数を示す。
【００２８】
次に、図３に基づき、パチンコ遊技機の制御構成について説明する。
パチンコ遊技機の機裏側には、主制御基板３０が装着されている。主制御基板３０は、パチンコ遊技機に関する各種処理を実行し、該処理結果に応じて遊技を制御するための各種の制御信号（制御コマンド）を出力する。また、機裏側には、演出制御基板３１が装着されている。演出制御基板３１は、主制御基板３０が出力した制御信号（制御コマンド）に基づき、演出表示装置１３の表示態様（図柄、背景、文字などの表示画像など）の決定に関する処理などを実行し、処理結果に応じて表示内容を制御する。
【００２９】
以下、主制御基板３０及び演出制御基板３１について、その具体的な構成を説明する。
前記主制御基板３０には、主制御用ＣＰＵ３０ａが備えられている。該主制御用ＣＰＵ３０ａには、主制御用ＲＯＭ３０ｂ及び主制御用ＲＡＭ３０ｃが接続されている。主制御用ＣＰＵ３０ａには、始動センサＳＥ１と、カウントセンサＳＥ３が接続されている。また、主制御用ＣＰＵ３０ａには、特別図柄表示装置１１が接続されている。また、主制御用ＣＰＵ３０ａには、大入賞口ソレノイドＳＯＬ１が接続されている。また、主制御用ＣＰＵ３０ａには、保留表示装置２２が接続されている。
【００３０】
また、主制御用ＲＯＭ３０ｂには、パチンコ遊技機１０に関する各種処理を実行するためのメイン制御プログラムが記憶されている。また、主制御用ＲＯＭ３０ｂには、複数種類の変動パターンが記憶されている。変動パターンは、図柄（特別図柄及び飾り図柄）が変動表示を開始（変動ゲームが開始）してから図柄が停止表示（変動ゲームが終了）される迄の間の遊技演出（表示演出等）のベースとなるパターンを示すものである。すなわち、変動パターンは、少なくとも、特別図柄が変動表示開始してから特別図柄が停止表示されるまでの演出時間（変動時間）を特定することができる。本実施形態における変動パターンでは、大当りの有無や、リーチ演出の有無なども特定することができる。
【００３１】
変動パターンには、大当り演出を特定する大当り変動パターンがある。また、変動パターンには、所定の演出（例えば、リーチ演出）が行われた後に最終的にはずれとするはずれリーチ演出を特定するはずれリーチ変動パターンと、リーチを形成せずにはずれとするはずれ演出を特定するはずれ変動パターンがある。なお、大当り変動パターンと、はずれリーチ変動パターンと、はずれ変動パターンには、それぞれ複数種類の変動パターンが用意されている。
【００３２】
大当り演出は、変動ゲームが、リーチ演出を経て、最終的に大当りの図柄組み合わせを停止表示させるように展開される演出である。はずれリーチ演出は、変動ゲームが、リーチ演出を経て、最終的にはずれの図柄組み合わせを停止表示させるように展開される演出である。はずれ演出は、変動ゲームが、リーチ演出を経ることなく最終的にはずれの図柄組み合わせを停止表示させるように展開される演出である。リーチ演出は、演出表示装置１３の飾り図柄による変動ゲームにおいて、リーチの図柄組み合わせが形成されてから、大当りの図柄組み合わせ、又ははずれの図柄組み合わせが停止表示される迄の間に行われる演出である。
【００３３】
また、主制御用ＲＯＭ３０ｂには、各種の判定値が記憶されている。例えば、主制御用ＲＯＭ３０ｂには、大当り抽選で用いられる大当り判定値が記憶されている。また、主制御用ＲＯＭ３０ｂには、リーチ演出を実行するか否かを決定するリーチ抽選で用いられるリーチ判定値が記憶されている。主制御用ＲＡＭ３０ｃには、パチンコ遊技機の動作中に適宜書き換えられる各種情報（乱数値、タイマ値、フラグ等）が記憶される。
【００３４】
また、主制御基板３０内では、当り判定用乱数や、特別図柄振分用乱数、リーチ演出判定用乱数、変動パターン振分用乱数として使用される各種乱数が生成される。因みに、当り判定用乱数は、大当り抽選に用いる乱数である。リーチ判定用乱数は、リーチ抽選に用いる乱数である。特別図柄振分用乱数は、特別図柄（大当りの種類）を決定する際に用いる乱数である。変動パターン振分用乱数は、変動パターンを決定する際に用いる乱数である。なお、はずれ変動パターン、はずれリーチ変動パターン及び大当り変動パターンの分類毎に、変動パターン振分用乱数の値の振り分けを異ならせている。また、各種乱数として使用される乱数は、ハードウェア乱数であってもよいし、ソフトウェア乱数であってもよい。
【００３５】
次に、図３に基づき演出制御基板３１について説明する。
演出制御基板３１には、演出制御用ＣＰＵ３１ａが備えられている。該演出制御用ＣＰＵ３１ａには、演出制御用ＲＯＭ３１ｂ及び演出制御用ＲＡＭ３１ｃが接続されている。また、演出制御用ＲＡＭ３１ｃには、パチンコ遊技機の動作中に適宜書き換えられる各種情報（乱数値、タイマ値、フラグ等）が記憶される。また、演出制御用ＣＰＵ３１ａは、各種乱数の値を所定の周期毎に更新し、更新後の値を演出制御用ＲＡＭ３１ｃの設定領域に記憶（設定）して更新前の値を書き換えている。また、演出制御用ＣＰＵ３１ａには、操作ボタンＢＴが接続されている。
【００３６】
また、演出制御用ＲＯＭ３１ｂには、遊技演出を実行させるための演出制御プログラムが記憶されている。演出制御用ＣＰＵ３１ａは、各種制御コマンドを入力すると、当該演出制御プログラムに基づき各種制御を実行する。また、演出制御用ＲＯＭ３１ｂには、各種の画像データ（図柄、各種背景画像、文字、キャラクタなどの画像データ）が記憶されている。また、演出制御用ＣＰＵ３１ａには、演出表示装置１３が接続されており、各種制御コマンドを入力すると、演出制御プログラムに基づき、演出表示装置１３の表示内容を制御する。
【００３７】
次に、主制御用ＣＰＵ３０ａが、メイン制御プログラムに基づき実行する特別図柄入力処理や特別図柄開始処理などの各種処理について説明する。最初に、特別図柄入力処理を説明する。特別図柄入力処理は、主制御用ＣＰＵ３０ａにより所定周期毎に実行されるようになっている。
【００３８】
まず、主制御用ＣＰＵ３０ａは、始動入賞口１４に遊技球が入球したか否かを判定する入球判定を実行する。すなわち、主制御用ＣＰＵ３０ａは、入球判定において、始動センサＳＥ１が遊技球を検知した時に出力する検知信号を入力したか否かを判定する。入球判定の判定結果が肯定の場合（入球した場合）、主制御用ＣＰＵ３０ａは、主制御用ＲＡＭ３０ｃの記憶内容に基づき、保留記憶数を特定し、特定した保留記憶数が上限値（本実施形態では「４」）よりも少ないか否かを判定する保留記憶数判定を実行する。保留記憶数判定の判定結果が否定の場合（保留記憶数の上限値に達していた場合）、主制御用ＣＰＵ３０ａは、特別図柄入力処理を終了する。
【００３９】
一方、保留記憶数判定の判定結果が肯定の場合（上限値に達していない場合）、主制御用ＣＰＵ３０ａは、変動ゲームに係わる各種乱数の値を取得し、主制御用ＲＡＭ３０ｃの所定の記憶領域に取得した乱数値を記憶する。その際、変動ゲームに係わる乱数値の取得順序が認識できるように記憶する。なお、主制御用ＣＰＵ３０ａは、主制御用ＲＡＭ３０ｃの記憶内容（例えば、未だ変動ゲームで利用されていない乱数値の記憶量）に基づき、保留記憶数を特定可能に構成されている。そして、主制御用ＣＰＵ３０ａは、主制御用ＲＡＭ３０ｃの記憶内容が更新され、保留記憶数が変化すると、更新後の保留記憶数を表示させるように保留表示装置２２を制御する。また、主制御用ＣＰＵ３０ａは、更新後の保留記憶数等の保留記憶情報を指定する保留指定コマンドを出力する。そして、特別図柄入力処理を終了する。なお、入球判定の判定結果が否定の場合（始動入賞口１４に入球しなかった場合）、主制御用ＣＰＵ３０ａは、特別図柄入力処理を終了する。
【００４０】
次に、特別図柄開始処理について説明する。主制御用ＣＰＵ３０ａは、特別図柄開始処理を所定周期毎に実行するようになっている。
主制御用ＣＰＵ３０ａは、大当り遊技中でなく、且つ、図柄変動ゲーム中でない場合、保留記憶数を特定し、保留記憶数が「０」よりも大きいか否か判定する。保留記憶数が「０」の場合、主制御用ＣＰＵ３０ａは、特別図柄開始処理を終了する。
【００４１】
一方、この判定結果が肯定の場合（保留記憶数＞０の場合）、主制御用ＣＰＵ３０ａは、変動ゲームの実行条件が成立したと判定し、主制御用ＲＡＭ３０ｃの所定の記憶領域に記憶される特別図柄変動処理フラグに変動ゲームを実行することを示す値を設定する。なお、本実施形態では、大当り遊技及び図柄変動ゲームのいずれも実行中でない場合であって、保留記憶数が＞０のときに、変動ゲームの実行条件が成立する。
【００４２】
次に、主制御用ＣＰＵ３０ａは、変動ゲームに係わる（変動ゲームに利用される）乱数値のうち、取得順序に従って最も早く実行される変動ゲームに係わる乱数値（当り判定用乱数、変動パターン振分用乱数、リーチ判定用乱数及び特別図柄振分用乱数の値）を取得する。具体的には、変動ゲームに係わる乱数値であって、まだ変動ゲームを実行させるために利用されていない乱数値のうち、最も早く取得された乱数値を取得する。また、主制御用ＣＰＵ３０ａは、特定した保留記憶数を１減算し、当該保留記憶数を表すように保留表示装置２２の表示内容を変更させる。また、主制御用ＣＰＵ３０ａは、更新後の保留記憶数等の保留記憶情報を示す保留指定コマンドを出力する。
【００４３】
主制御用ＣＰＵ３０ａは、取得した当り判定用乱数の値が主制御用ＲＯＭ３０ｂに記憶されている大当り判定値と一致するか否かを判定して大当り判定（大当り抽選）を行う。
大当り判定の判定結果が肯定の場合（大当りの場合）、主制御用ＣＰＵ３０ａは、取得した特別図柄振分用乱数の値に基づき、大当り遊技の種類を決定すると共に、特別図柄による大当り図柄の中から特別図柄表示装置１１にて停止表示される最終停止図柄を決定する。その後、主制御用ＣＰＵ３０ａは、取得した変動パターン振分用乱数の値に基づき、大当り変動パターンの中から変動パターンを決定する。
【００４４】
変動パターン及び最終停止図柄を決定した主制御用ＣＰＵ３０ａは、演出制御基板３１（演出制御用ＣＰＵ３１ａ）に対し、所定の制御コマンドを所定のタイミングで出力する等、変動ゲームに関する各種処理を実行する。
【００４５】
具体的に言えば、主制御用ＣＰＵ３０ａは、変動パターンを指定すると共に図柄変動の開始を指示する変動パターン指定コマンドを最初に出力する。変動パターン指定コマンドを出力する同時に、主制御用ＣＰＵ３０ａは、特別図柄を変動開始させるように特別図柄表示装置１１の表示内容を制御する。また、同時に、主制御用ＣＰＵ３０ａは、変動ゲームの演出時間の計測を開始する。また、主制御用ＣＰＵ３０ａは、最終停止図柄の種類を指定するための特別図柄指定コマンドを出力する。なお、最終停止図柄が大当り図柄である場合には、大当り遊技の種類を特定することができるため、特別図柄指定コマンドは、当り遊技の種類を指定するための当り種別指定コマンドでもある。そして、主制御用ＣＰＵ３０ａは、特別図柄開始処理を終了する。
【００４６】
その後、特別図柄開始処理とは別の処理で、主制御用ＣＰＵ３０ａは、前記指定した変動パターンに定められている演出時間（変動時間）に基づいて、決定した最終停止図柄を表示させるように特別図柄表示装置１１の表示内容を制御する。また、主制御用ＣＰＵ３０ａは、前記指定した変動パターンに定められている演出時間に基づいて、飾り図柄の変動停止を指示し、図柄組み合わせを停止表示させるための全図柄停止コマンドを出力する。
【００４７】
一方、大当り判定の判定結果が否定の場合（大当りでない場合）、主制御用ＣＰＵ３０ａは、リーチ演出を実行させるか否かを判定するリーチ判定を行う。本実施形態では、主制御用ＣＰＵ３０ａは、主制御用ＲＡＭ３０ｃから取得したリーチ判定用乱数の値が、リーチ判定値に一致するか否かにより当選判定を行う。
【００４８】
そして、リーチ判定の判定結果が肯定の場合（リーチ演出を行う場合）、主制御用ＣＰＵ３０ａは、はずれ図柄を特別図柄表示装置１１にて停止表示させる最終停止図柄として決定する。次に、主制御用ＣＰＵ３０ａは、取得した変動パターン振分用乱数の値に基づき、はずれリーチ変動パターンの中から変動パターンを決定する。
【００４９】
そして、変動パターン及び最終停止図柄を決定した主制御用ＣＰＵ３０ａは、前述（大当りの場合）同様、演出制御基板３１（演出制御用ＣＰＵ３１ａ）に対し、所定の制御コマンドを所定のタイミングで出力する等、変動ゲームに関する各種処理を実行する。その後、主制御用ＣＰＵ３０ａは、特別図柄開始処理を終了する。
【００５０】
一方、リーチ判定の判定結果が否定の場合（リーチ演出を行わない場合）、主制御用ＣＰＵ３０ａは、はずれ図柄を特別図柄表示装置１１にて停止表示させる最終停止図柄として決定する。次に、主制御用ＣＰＵ３０ａは、取得した変動パターン振分用乱数の値に基づき、はずれ変動パターンの中から変動パターンを決定する。
【００５１】
そして、変動パターン及び最終停止図柄を決定した主制御用ＣＰＵ３０ａは、前述（大当りの場合）同様、演出制御基板３１（演出制御用ＣＰＵ３１ａ）に対し、所定の制御コマンドを所定のタイミングで出力する等、変動ゲームに関する各種処理を実行する。その後、主制御用ＣＰＵ３０ａは、特別図柄開始処理を終了する。
【００５２】
そして、主制御用ＣＰＵ３０ａは、大当りを決定した場合、決定した変動パターンに基づく変動ゲームの終了後、最終停止図柄に基づき特定された種類の大当り遊技の制御を開始し、演出制御基板３１（演出制御用ＣＰＵ３１ａ）に対し、所定の制御コマンドを所定のタイミングで出力する。
【００５３】
具体的には、主制御用ＣＰＵ３０ａは、オープニング時間の設定を開始する。また、主制御用ＣＰＵ３０ａは、オープニング時間が開始したことを指示するオープニングコマンドを演出制御基板３１に出力する。次に、主制御用ＣＰＵ３０ａは、オープニング時間の終了後、各ラウンド遊技を制御する。すなわち、主制御用ＣＰＵ３０ａは、各ラウンド遊技の開始時にラウンド遊技の開始を指示するラウンドコマンドを演出制御基板３１に出力する。また、主制御用ＣＰＵ３０ａは、ラウンド遊技毎に、大入賞口１９の開放及び閉鎖を制御する。すなわち、主制御用ＣＰＵ３０ａは、入球上限個数の遊技球が入賞するまでの間、又はラウンド遊技毎に予め決められた規定時間が経過するまでの間、大入賞口１９を開放する。
【００５４】
そして、主制御用ＣＰＵ３０ａは、大入賞口１９を閉鎖した場合には、ラウンド遊技毎に予め決められたインターバル時間を経過するまで、閉鎖を維持し、その後、ラウンド遊技を終了する。これらの一連の制御を、規定ラウンド数に達するまで実行する。
【００５５】
規定ラウンド数のラウンド遊技が終了すると、主制御用ＣＰＵ３０ａは、エンディング時間の設定を開始する。また、主制御用ＣＰＵ３０ａは、エンディング時間が開始したことを指示するエンディングコマンドを演出制御基板３１に出力する。そして、エンディング時間を経過すると、主制御用ＣＰＵ３０ａは、大当り遊技を終了させる。
【００５６】
次に、演出制御基板３１の演出制御用ＣＰＵ３１ａが演出制御プログラムに基づき実行する各種処理について説明する。主制御用ＣＰＵ３０ａから所定の制御コマンドを所定のタイミングで入力すると、演出制御用ＣＰＵ３１ａは、それに応じて各種処理を実行する。
【００５７】
例えば、演出制御用ＣＰＵ３１ａは、変動パターン指定コマンド及び特別図柄指定コマンドを入力すると、当該変動パターン指定コマンドにより指定された変動パターン及び特別図柄指定コマンドにより指定された最終停止図柄に基づき、演出表示装置１３に停止表示させる飾り図柄による図柄組み合わせを決定する。
【００５８】
すなわち、演出制御用ＣＰＵ３１ａは、特別図柄指定コマンドにより指定された最終停止図柄が大当り図柄である場合には、大当りの図柄組み合わせを決定する。また、演出制御用ＣＰＵ３１ａは、指定された最終停止図柄が、はずれ図柄の場合であって、はずれリーチ変動パターンが指定された場合、はずれリーチの図柄組み合わせを決定する。また、演出制御用ＣＰＵ３１ａは、指定された最終停止図柄が、はずれ図柄の場合であって、はずれ変動パターンが指定された場合、はずれの図柄組み合わせを決定する。
【００５９】
そして、演出制御用ＣＰＵ３１ａは、変動パターン指定コマンドを入力すると、当該変動パターン指定コマンドにより指定された変動パターンにより特定される演出時間内において、変動ゲームに係わる遊技演出を実行させるように演出表示装置１３を制御する。その後、演出制御用ＣＰＵ３１ａは、全図柄停止コマンドを入力すると、変動ゲームを終了させると共に、決定した図柄組み合わせを停止表示させる。
【００６０】
そして、本実施形態では、変動ゲーム中、ストーリーに沿って演出が行われるストーリー演出が実行可能に構成されている。
図４（ａ）に示すように、ストーリー演出は、複数種類用意されており、種類毎にストーリーの内容を異ならせている。本実施形態では、３種類のストーリー演出が存在し、第１ストーリーから第３ストーリーが存在する。なお、これらの３種類のストーリー演出は、１種類の変動パターンに対応付けられているため、いずれも演出時間は同じとなっている。
【００６１】
そして、図４（ａ）に示すように、各ストーリー演出には、それぞれ複数のシナリオが存在し、シナリオ毎に演出内容の一部が異なるようになっている。そして、各ストーリー演出に対応付けられた複数のシナリオが、１つの演出グループを構成している。具体的には、演出グループＧ１（第１ストーリー演出）には、第１ストーリーにおいて、演出内容の一部が異なる６種類のシナリオＳＣ１１〜ＳＣ１６が存在する。演出グループＧ２（第２ストーリー演出）には、第２ストーリーにおいて、演出内容の一部が異なる６種類のシナリオＳＣ２１〜ＳＣ２６が存在する。演出グループＧ３（第３ストーリー演出）には、第３ストーリーにおいて、演出内容の一部が異なる６種類のシナリオＳＣ３１〜ＳＣ３６が存在する。
【００６２】
各演出グループ（ストーリー演出）に対応する複数のシナリオは、途中まで同様の演出内容となっている。すなわち、変動ゲームの開始から途中までは、同様の演出内容で進行し、途中の分岐点で、演出内容が分岐するようになっている。例えば、第１ストーリー演出に対応するシナリオＳＣ１１〜ＳＣ１６は、変動ゲームの開始から予告演出Ｙ１１〜Ｙ１３の開始まで同じ演出内容となっている。そして、予告演出の実行時において、予告演出の種類に応じて、３つのシナリオに分岐する。その後、第１ストーリー演出に対応するシナリオＳＣ１１〜ＳＣ１６では、同じ第１リーチ演出が実行された後、大当りの有無に応じてさらに２つのシナリオに分岐し、図柄組み合わせが停止表示される。
【００６３】
同様に、第２ストーリー演出に対応するシナリオＳＣ２１〜ＳＣ２６は、変動ゲームの開始から予告演出Ｙ２１〜Ｙ２３の開始まで同じ演出内容となっている。そして、予告演出の実行時において、予告演出の種類に応じて、３つのシナリオに分岐する。その後、第２ストーリー演出に対応するシナリオＳＣ２１〜ＳＣ２６では、同じ第２リーチ演出が実行された後、大当りの有無に応じてさらに２つのシナリオに分岐し、図柄組み合わせが停止表示される。
【００６４】
同様に、第３ストーリー演出に対応するシナリオＳＣ３１〜ＳＣ３６は、同じ第３リーチ演出が実行されるまで、同じ演出内容となっている。そして、予告演出の実行時において、予告演出の種類に応じて、３つのシナリオに分岐する。その後、第３ストーリー演出に対応するシナリオＳＣ３１〜ＳＣ３６では、大当りの有無に応じてさらに２つのシナリオに分岐し、図柄組み合わせが停止表示される。
【００６５】
以上のように、各演出グループ（ストーリー演出）に対応するシナリオでは、予告演出の演出内容及び表示結果が異なるだけで、その他のストーリーや、分岐点、リーチ内容は同じとなっている。また、予告演出の演出内容の違いにより、表示画像が異なるようになっている。そして、各ストーリー演出に対応する複数のシナリオにおいて、この予告演出の演出内容に応じて、変動ゲームが大当りとなる可能性を示す当り期待度を異ならせている。
【００６６】
例えば、演出グループＧ１（第１ストーリー演出）に対応するシナリオＳＣ１１〜ＳＣ１６では、予告演出Ｙ１１が実行されるシナリオＳＣ１１，ＳＣ１２が一番当り期待度が低く設定されている。そして、予告演出Ｙ１２が実行されるシナリオＳＣ１３，ＳＣ１４が２番目に当り期待度が低く設定されており、予告演出Ｙ１３が実行されるシナリオＳＣ１５，ＳＣ１６が一番当り期待度が高く設定されている。
【００６７】
同様に、演出グループＧ２（第２ストーリー演出）に対応するシナリオＳＣ２１〜ＳＣ２６では、予告演出Ｙ２１が実行されるシナリオＳＣ２１，ＳＣ２２が一番当り期待度が低く設定されている。そして、予告演出Ｙ２２が実行されるシナリオＳＣ２３，ＳＣ２４が２番目に当り期待度が低く設定されており、予告演出Ｙ２３が実行されるシナリオＳＣ２５，ＳＣ２６が一番当り期待度が高く設定されている。
【００６８】
同様に、演出グループＧ３（第３ストーリー演出）に対応するシナリオＳＣ３１〜ＳＣ３６では、予告演出Ｙ３１が実行されるシナリオＳＣ３１，ＳＣ３２が一番当り期待度が低く設定されている。そして、予告演出Ｙ３２が実行されるシナリオＳＣ３３，ＳＣ３４が２番目に当り期待度が低く設定されており、予告演出Ｙ３３が実行されるシナリオＳＣ３５，ＳＣ３６が一番当り期待度が高く設定されている。
【００６９】
そして、ストーリー演出は、予め決められた演出モードの設定中に、実行可能となっている。
演出モードは、複数用意されており、本実施形態では、４種類用意されている。演出モード毎に背景画像や実行される遊技演出の演出内容を異ならせている。また、演出モードは、大当り遊技の終了後、所定回数が経過する毎に変更されるように構成されている。具体的には、大当り遊技の終了後、１回目の変動ゲームから２０回目の変動ゲームが終了するまで、スタート演出モードが設定される。また、大当り遊技の終了後、２１回目の変動ゲームから８０回目の変動ゲームが終了するまで、ストーリー演出が実行されうるストーリー演出モードが設定される。また、大当り遊技の終了後、８１回目の変動ゲームから１００回目の変動ゲームが終了するまで、チャンス演出モードが設定される。また、大当り遊技の終了後、１０１回目の変動ゲームから、通常演出モードが設定される。
【００７０】
また、演出モード毎に、決定されうる変動パターンの種類及び振分けが変更されるように構成されている。具体的には、スタート演出モードでは、変動時間が短い変動パターンが決定される可能性が他の演出モードよりも高くなるように変動パターンの種類及び振分けが設定されている。また、チャンス演出モードでは、変動時間が長い変動パターンが決定される可能性が他の演出モードよりも高くなるように変動パターンの種類及び振分けが設定されている。ストーリー演出モードと通常演出モードでは、様々な変動時間の変動パターンがバランス良く均等に決定されるように変動パターンの種類及び振分けが設定されている。
【００７１】
なお、ストーリー演出モードでは、ストーリー演出を演出内容に含む変動パターン（グループ対応パターン）を決定可能に構成されている一方、スタート演出モード、チャンス演出モード、通常演出モードでは、ストーリー演出を演出内容に含む変動パターン（グループ対応パターン）を決定されないように構成されている。
【００７２】
次に、グループ対応パターンについて説明する。グループ対応パターンは、複数種類存在し、少なくとも大当り変動パターンとはずれリーチ変動パターン（又ははずれ変動パターン）には、それぞれ１種類ずつ存在する。
【００７３】
本実施形態では、説明の簡略化のため、ストーリー演出モードで決定されうる大当り変動パターンのうち１種類が、グループ対応パターンであるものとする。また、ストーリー演出モードで決定されうるはずれリーチ変動パターンのうち１種類が、グループ対応パターンであるものとする。なお、本実施形態において、ストーリー演出モードで決定されうる大当り変動パターンには、グループ対応パターン以外に、ストーリー演出とは関係のない演出内容の大当り変動パターンが存在する。同様に、ストーリー演出モードで決定されうるはずれリーチ変動パターンには、グループ対応パターン以外に、ストーリー演出とは関係のない演出内容のはずれリーチ変動パターンが存在する。このストーリー演出とは関係のない演出内容の大当り変動パターン又ははずれリーチ変動パターンは、いずれの演出グループが設定されていたとしても同じ演出内容となっている。なお、ストーリー演出とは関係のない演出内容の大当り変動パターンは、他の大当り変動パターンよりも決定確率を低くし、且つ、大当りが確定したことを事前に認識できるプレミアムパターンであってもよい。
【００７４】
次に、演出モードの設定に係わる処理について説明する。
主制御用ＣＰＵ３０ａは、大当り遊技の終了後、１回目の変動ゲームから２０回目の変動ゲームが終了するまで、スタート演出モードを示す値を、主制御用ＲＡＭ３０ｃに記憶される演出モードフラグに設定する。スタート演出モードを示す値が設定されている場合、主制御用ＣＰＵ３０ａは、スタート演出モードに対応する変動パターンの振分けに基づき、変動パターンを決定することとなる。
【００７５】
同様に、主制御用ＣＰＵ３０ａは、大当り遊技の終了後、２１回目の変動ゲームから８０回目の変動ゲームが終了するまで、ストーリー演出モードを示す値を演出モードフラグに設定する。ストーリー演出モードを示す値が設定されている場合、主制御用ＣＰＵ３０ａは、ストーリー演出モードに対応する変動パターンの振分けに基づき、変動パターンを決定することとなる。
【００７６】
同様に、主制御用ＣＰＵ３０ａは、大当り遊技の終了後、８１回目の変動ゲームから１００回目の変動ゲームが終了するまで、チャンス演出モードを示す値を演出モードフラグに設定する。チャンス演出モードを示す値が設定されている場合、主制御用ＣＰＵ３０ａは、チャンス演出モードに対応する変動パターンの振分けに基づき、変動パターンを決定することとなる。
【００７７】
同様に、主制御用ＣＰＵ３０ａは、大当り遊技の終了後、１０１回目の変動ゲームから、通常演出モードを示す値を演出モードフラグに設定する。通常演出モードを示す値が設定されている場合、主制御用ＣＰＵ３０ａは、通常演出モードに対応する変動パターンの振分けに基づき、変動パターンを決定することとなる。なお、通常演出モードは、電源投入後においても設定されるように構成されている。
【００７８】
以下、ストーリー演出が実行される場合の処理について詳しく説明する。
主制御用ＣＰＵ３０ａは、前述したように、特別図柄開始処理において、大当り判定の判定結果が肯定の場合、演出モードに対応付けられた大当り変動パターンの振分けに基づき、変動パターンを決定する。このとき、主制御用ＣＰＵ３０ａは、グループ対応パターンを決定した場合には、通常の変動パターンと同様に、当該変動パターン（グループ対応パターン）を指示する変動パターン指定コマンドを出力する。同様に、主制御用ＣＰＵ３０ａは、リーチ判定の判定結果が肯定の場合、演出モードに対応付けられたはずれリーチ変動パターンの振分けに基づき、変動パターンを決定する。このとき、主制御用ＣＰＵ３０ａは、グループ対応パターンを決定した場合には、通常の変動パターンと同様に、当該変動パターン（グループ対応パターン）を指示する変動パターン指定コマンドを出力する。
【００７９】
演出制御用ＣＰＵ３１ａは、入力した変動パターン指定コマンドにより、当該グループ対応パターンが指定されたと判定した場合、設定されている演出グループ（ストーリー演出）を特定する。演出グループは、パチンコ遊技機１０の電源投入時（或いはＲＡＭクリア時）、又は大当り遊技時、又は大当り遊技終了後、所定回数の変動ゲームが実行されたときに設定されるように構成されている。なお、パチンコ遊技機１０の電源投入時（或いはＲＡＭクリア時）又は大当り遊技終了後、所定回数の変動ゲームが実行されたときには、初期設定となる演出グループが設定される。本実施形態では、大当り遊技終了後、１００回の変動ゲームが実行されたとき（即ち、チャンス演出モードが終了したとき）に初期設定となる演出グループが設定される。また、大当り遊技時には、後述する選択演出において選択された演出グループが設定される。
【００８０】
演出グループの設定を特定すると、演出制御用ＣＰＵ３１ａは、設定された演出グループに対応するシナリオの中から、実行させるストーリー演出におけるシナリオを決定する。
【００８１】
より詳しく説明すると、指定された変動パターンが大当り変動パターンである場合、演出制御用ＣＰＵ３１ａは、演出グループに対応する複数（本実施形態では３種類）の大当り用のシナリオの中から、抽選でシナリオを決定する。一方、指定された変動パターンがはずれリーチ変動パターンである場合、演出制御用ＣＰＵ３１ａは、演出グループに対応する複数（本実施形態では３種類）のはずれリーチ用のシナリオの中から、抽選でシナリオを決定する。
【００８２】
例えば、指定された変動パターンが大当り変動パターンである場合であって、演出グループＧ１が設定されていた場合、演出制御用ＣＰＵ３１ａは、演出グループＧ１に対応する３種類の大当り用のシナリオＳＣ１１，ＳＣ１３，ＳＣ１５の中から、抽選でシナリオを決定する。
【００８３】
そして、決定する際、シナリオに含まれる予告演出の演出内容に応じて当り期待度が設定されるように、抽選を行う。なお、特定の予告演出の演出内容における当り期待度を高く設定するためには、大当りの場合に選択される割合と、はずれの場合に選択される割合との合算割合に占める、大当りの場合に選択される割合を高くすればよい。
【００８４】
シナリオを決定すると、演出制御用ＣＰＵ３１ａは、当該シナリオに沿って設定されている演出グループに対応するストーリー演出を実行させるように演出表示装置１３の表示内容を制御する。例えば、シナリオＳＣ１１が決定された場合、演出制御用ＣＰＵ３１ａは、シナリオＳＣ１１に沿って第１ストーリー演出を実行させる。
【００８５】
次に、グループ対応パターンに基づく（ストーリー演出を伴う）変動ゲームが大当りとなる場合において、当該変動ゲームの終了後に実行される大当り遊技に係わる遊技演出（以下、単に大当り遊技演出と示す）の演出内容について説明する。グループ対応パターンに基づく変動ゲームが大当りとなる場合、当該変動ゲームの終了後に実行される大当り遊技演出の演出内容も、設定されている演出グループに基づき決定される。また、グループ対応パターンに基づく変動ゲームが大当りとなる場合、当該変動ゲームに係わる演出内容と、当該変動ゲーム終了後に実行される大当り遊技演出の演出内容は一繋がりのストーリー性を有するように構成されている。より詳しくは、グループ対応パターンに基づく変動ゲームが大当りとなる場合、当該変動ゲームの開始から、大当り遊技の１ラウンド目のラウンド遊技が終了するまでの演出内容は、一繋がりのストーリー性を有するように構成されている。
【００８６】
また、グループ対応パターンに基づく変動ゲームが大当りとなる場合に付与される大当り遊技において、最後（規定ラウンド数）のラウンド遊技では、新たに設定する演出グループ（すなわち、ストーリー演出）を選択するための選択演出が実行される。選択演出は、選択可能な演出グループを示す選択画像を複数表示させ、操作ボタンＢＴを操作することにより、選択対象となる選択画像を決定する演出である。
【００８７】
以下、図４（ｂ）に基づき、ストーリー演出を経て実行される大当り遊技演出のための処理について説明する。
演出制御用ＣＰＵ３１ａは、グループ対応パターンに基づく変動ゲームが大当りとなった場合、オープニングコマンドを入力すると、設定されている演出グループに基づき、オープニング演出の演出内容を決定し、決定した演出内容でオープニング演出を実行させる。すなわち、変動ゲームの終了後から演出内容（ストーリー）が継続するように、演出グループに基づきオープニング演出の演出内容が決定される。これにより、演出表示装置１３では、変動ゲームの終了後から継続する演出内容で、オープニング演出が実行される。
【００８８】
また、演出制御用ＣＰＵ３１ａは、グループ対応パターンに基づく変動ゲームが大当りとなった場合、１ラウンド目のラウンドコマンドを入力すると、設定されている演出グループに基づき、１ラウンド目のラウンド演出の演出内容を決定し、決定した演出内容で１ラウンド目のラウンド演出を実行させる。すなわち、オープニング演出の終了後から演出内容（ストーリー）が継続するように、演出グループに基づき１ラウンド目のラウンド演出の演出内容が決定される。また、本実施形態では、１回目のラウンド演出で、変動ゲームから開始されたストーリーが完結するように構成されている。これにより、演出表示装置１３では、変動ゲーム中から開始されたストーリーがラウンド演出中に完結するように、１回目のラウンド演出が実行される。
【００８９】
その後、演出制御用ＣＰＵ３１ａは、規定ラウンド数のラウンドコマンドが入力されるよりも前まで、ラウンドコマンドを入力する毎に、所定のラウンド演出を実行させる。
そして、演出制御用ＣＰＵ３１ａは、グループ対応パターンに基づく（ストーリー演出を伴う）変動ゲームが大当りとなった場合に、規定ラウンド数（最終ラウンド）のラウンドコマンドを入力すると、選択演出を実行させる。具体的には、演出制御用ＣＰＵ３１ａは、規定ラウンド数目のラウンド遊技において、選択可能な演出グループとして複数種類の演出グループを決定し、当該選択可能な演出グループを示す選択画像を表示させる。
【００９０】
本実施形態では、図６に示すように、３種類の演出グループＧ１〜Ｇ３を選択可能とし、当該演出グループＧ１〜Ｇ３を示す選択画像ＳＧを３つ並べるように表示する。そして、演出制御用ＣＰＵ３１ａは、規定ラウンド数目のラウンド遊技において、操作ボタンＢＴの操作有効期間を設定し、操作ボタンＢＴの操作が有効となったことを報知させる。
【００９１】
操作有効期間中に、操作ボタンＢＴからボタン検知信号を入力する毎に、演出制御用ＣＰＵ３１ａは、選択対象の選択画像ＳＧを示す選択カーソルＳＫを次の選択画像ＳＧを示すように移動させる。なお、選択カーソルは、所定の順序で移動するように構成されている。本実施形態では、選択カーソルＳＫが右端に位置していない場合には、選択カーソルＳＫを１つ右隣に移動させ、右端に位置している場合には、選択カーソルＳＫを左端に移動させる。
【００９２】
そして、操作有効期間が終了すると、演出制御用ＣＰＵ３１ａは、選択カーソルＳＫが示す選択画像ＳＧを特定する。そして、演出制御用ＣＰＵ３１ａは、特定した選択画像ＳＧが示す演出グループを新たな演出グループとして設定する。なお、前記操作有効期間は、最後のラウンド遊技が終了する際に、終了するように構成されている。
【００９３】
また、図４（ｂ）に示すように、演出制御用ＣＰＵ３１ａは、グループ対応パターンに基づく変動ゲームが大当りとなった場合に、エンディングコマンドを入力すると、最後のラウンド遊技で設定された演出グループに基づき、エンディング演出の演出内容を決定する。そして、演出制御用ＣＰＵ３１ａは、決定した演出内容でエンディング演出を実行させる。具体的には、演出制御用ＣＰＵ３１ａは、新たに設定された演出グループを特定可能な演出内容のエンディング演出を実行させる。そして、大当り遊技を終了させる。
【００９４】
ちなみに、グループ対応パターン以外の変動パターンに基づく変動ゲームが大当りとなった場合、当該変動ゲーム終了後に付与される大当り遊技における大当り遊技演出の演出内容は、設定されている演出グループとは関係ない、所定の演出内容で大当り遊技演出が実行されるようになっている。すなわち、大当り遊技演出の演出内容は、当該大当り遊技が付与される変動ゲームの演出内容とその内容が継続しないようになっており、大当り遊技演出内で、演出が独立して完結するように構成されている。
【００９５】
以上により、本実施形態では、演出制御用ＣＰＵ３１ａが、演出内容決定手段となる。また、演出制御用ＣＰＵ３１ａが、演出制御手段となる。また、演出制御用ＣＰＵ３１ａが、設定手段となる。また、演出制御用ＣＰＵ３１ａが、特定遊技内容決定手段となる。また、主制御用ＣＰＵ３０ａが、当り判定手段となる。また、主制御用ＣＰＵ３０ａが、変動パターン決定手段となる。また、主制御用ＣＰＵ３０ａが、特定遊技付与手段となる。
【００９６】
次に、図５に基づき、ストーリー演出が実行される場合の遊技演出の演出態様についてその作用と共に説明する。
まず、グループ対応パターンに基づく変動ゲームがはずれとなる場合について説明する。なお、図５では、味方キャラクタＣＡ１が敵キャラクタＣＡ２と対決する内容の第１ストーリー演出が実行されるものとする。また、ここでは、予告演出Ｙ１２が演出内容に含まれるシナリオＳＣ１４に基づき、実行されるものとする。
【００９７】
図５（ａ）に示すように、演出表示装置１３において、第１ストーリー演出のシナリオＳＣ１４に基づき、変動ゲームが開始されると、味方キャラクタＣＡ１と敵キャラクタＣＡ２が表示され、対決が開始されることが示される。
【００９８】
図５（ｂ）に示すように、その後、演出表示装置１３において、第１ストーリー演出のシナリオＳＣ１４に基づき、予告演出Ｙ１２が実行される。これにより、当り期待度を予測することができる。
【００９９】
図５（ｃ）に示すように、演出表示装置１３において、リーチの図柄組み合わせが停止表示され、第１ストーリー演出のシナリオＳＣ１４に基づき、第１リーチ演出が開始される。その際、演出表示装置１３では、味方キャラクタＣＡ１が敵キャラクタＣＡ２に攻撃されるという危機が表示される。
【０１００】
図５（ｄ）に示すように、演出表示装置１３において、第１ストーリー演出のシナリオＳＣ１４に基づき、味方キャラクタＣＡ１がそのまま倒れ、敗北する内容で第１ストーリー演出が中断され、バッドエンドで終了する。それに伴い、はずれの図柄組み合わせが停止表示される。
【０１０１】
次に、グループ対応パターンに基づく変動ゲームが大当りとなる場合について説明する。ここでは、予告演出Ｙ１２が演出内容に含まれるシナリオＳＣ１３に基づき、実行されるものとする。
【０１０２】
図５（ａ）に示すように、演出表示装置１３において、第１ストーリー演出のシナリオＳＣ１３に基づき、変動ゲームが開始されると、味方キャラクタＣＡ１と敵キャラクタＣＡ２が表示され、対決が開始されることが示される。
【０１０３】
図５（ｂ）に示すように、その後、演出表示装置１３において、第１ストーリー演出のシナリオＳＣ１３に基づき、予告演出Ｙ１２が実行される。これにより、当り期待度を予測することができる。
【０１０４】
図５（ｃ）に示すように、演出表示装置１３において、リーチの図柄組み合わせが停止表示され、第１ストーリー演出のシナリオＳＣ１３に基づき、第１リーチ演出が開始される。その際、演出表示装置１３では、味方キャラクタＣＡ１が敵キャラクタＣＡ２に攻撃されるという危機が表示される。ここまでの演出内容は、はずれとなるシナリオＳＣ１４と同じであるため、遊技者に、どのような結末となるのかについて注目させることができる。
【０１０５】
図５（ｅ）に示すように、演出表示装置１３において、第１ストーリー演出のシナリオＳＣ１３に基づき、味方キャラクタＣＡ１が攻撃に耐えて倒れないことが表示される。これにより、第１ストーリー演出が終了せずに、継続することを遊技者は認識できる。その一方で、演出表示装置１３では、大当りの図柄組み合わせが停止表示され、変動ゲームが終了する。
【０１０６】
図５（ｆ）に示すように、大当り遊技が開始されると、演出表示装置１３において、演出グループＧ１（第１ストーリー演出）に対応するオープニング演出が実行される。すなわち、演出表示装置１３において、味方キャラクタＣＡ１が敵キャラクタＣＡ２を攻撃する内容の表示が行われる。これにより、第１ストーリー演出が継続していることを認識できる。
【０１０７】
図５（ｇ）に示すように、その後、１回目のラウンド遊技において、演出表示装置１３では、演出グループＧ１（第１ストーリー演出）に対応する１回目のラウンド演出が実行される。すなわち、演出表示装置１３において、敵キャラクタＣＡ２が倒れ、味方キャラクタＣＡ１が勝利して、第１ストーリー演出が完結する内容の表示が行われる。これにより、遊技者は、変動ゲームから開始された第１ストーリー演出がハッピーエンドで完結したことを認識できる。
【０１０８】
そして、図６に示すように、当該大当り遊技の最終ラウンドのラウンド遊技において、演出表示装置１３では、選択演出が実行される。
具体的には、図６（ａ）に示すように、３種類の演出グループＧ１〜Ｇ３を示す選択画像ＳＧを３つ並べるように表示する。また、操作ボタンＢＴの操作有効期間が開始すると、操作ボタンＢＴの操作が有効となったことが報知される。
【０１０９】
そして、図６（ｂ）に示すように、操作有効期間中に、操作ボタンＢＴからボタン検知信号が入力される毎に、選択対象の選択画像ＳＧを示す選択カーソルＳＫが移動する。そして、操作有効期間が終了したときに、選択カーソルＳＫが示す選択画像ＳＧが選択対象として最終的に決定され、当該選択画像ＳＧが示す演出グループが選択される。そして、選択された演出グループが新たな演出グループとして設定される。
【０１１０】
図６（ｃ）に示すように、エンディング演出において、演出表示装置１３では、新たに設定された演出グループを報知する内容の表示が行われる。これにより、遊技者に、新たなストーリー演出についての興味を持たせ、大当りさせたいと思わせることができる。
【０１１１】
以上詳述したように、本実施形態は、以下の効果を有する。
（１）演出グループ（ストーリー演出）に基づき演出内容が決定される変動ゲームにおいて、大当りとならない限り、演出グループの設定は、変更されない。このため、設定された演出グループに基づき、はずれ（バッドエンド）となるシナリオの変動ゲームを見て、大当り（ハッピーエンド）となるシナリオが気になる場合であっても、演出グループは変更されない。このため、遊技を継続すれば、設定されている遊技者が気になる演出グループ（ストーリー演出）に基づき、大当りとなるシナリオの変動ゲームを見ることができる。
【０１１２】
すなわち、遊技を継続すれば、設定されている演出グループに基づき演出内容が決定される変動ゲームにおいて、大当りとなるシナリオの変動ゲームを楽しむことができる。また、本実施形態によれば、変動ゲームがはずれとなるときであっても演出グループが変更される場合と比較して、見たいと思わせた大当りとなるシナリオをより早く出現させ、すっきりさせることができる。同様に、ストーリー演出以外の演出内容の変動ゲームが大当りとなるときであっても演出グループが変更される場合と比較して、本実施形態の方が、見たいと思わせた大当りとなるシナリオを早く出現させ、すっきりさせることができる。
【０１１３】
（２）演出グループ（ストーリー演出）に基づき演出内容が決定される変動ゲームが大当りとなる場合、当該変動ゲームに係わる演出内容と、大当り遊技に係わる演出内容が一繋がりのストーリー性を有するように、設定された演出グループに基づき、大当り遊技演出の演出内容が決定される。このため、設定された演出グループに基づき、大当りとなるシナリオのストーリー演出をより遊技者に見たいと思わせることができる。
【０１１４】
（３）ストーリー演出以外の演出内容に基づき、変動ゲームが大当りとなった場合、変動ゲームに係わる演出内容と大当り遊技に係わる演出内容が一繋がりのストーリー性を有さないようにした。そして、この場合において、新たな演出グループも設定されないようにした。このため、設定された演出グループ（ストーリー演出）以外の演出内容に基づく変動ゲームが大当りとなった場合でも、引き続き、設定されている演出グループ（ストーリー演出）に基づく変動ゲームが大当りとなるシナリオを遊技者に見たいと思わせることができる。
【０１１５】
（４）演出グループに基づき、ストーリー演出のシナリオが決定される際、同じ演出グループ内であっても、演出内容と共に、当り期待度が異なるようになっている。つまり、シナリオの内容（予告演出の種類）により当り期待度を異ならせている。このため、同じ演出グループに基づき、変動ゲームの演出内容が決定された場合であっても、演出内容（予告演出の種類）の違いに注目させ、当り期待度がどのようであるかについて予測させることができる。
【０１１６】
（５）設定された演出グループ（ストーリー演出）に基づき演出内容が決定された変動ゲームが大当りとなる場合、当該演出グループに対応する演出内容で大当り遊技演出を実行させることができる。これにより、変動ゲームに係わる演出時間と、大当り遊技に係わる演出時間の合計時間内において、一繋がりのストーリー性を有する演出内容の遊技演出を実行させる時間を確保することも可能となる。このため、ストーリーを展開するための十分な時間を確保することができ、遊技演出を楽しませることができる。また、ある演出グループが設定されているときに、変動ゲームが大当りとなった場合、その演出グループ専用のストーリーを完結させることができるという喜びを与えることができる。また、変動ゲームの終了時に、遊技者の興味が一旦途切れてしまうことがなくなる。
【０１１７】
（６）演出グループに基づき演出内容が決定された変動ゲームが大当りとなる場合、大当り遊技演出中に新たに設定される演出グループを報知する演出を実行させるようにした。これにより、変動ゲームが大当りとなり、大当り遊技中にストーリーが完結した場合でも、当該大当り遊技中に次の演出グループ（ストーリー）が設定され、その旨が報知される。このため、大当り遊技の終了後においても、次の演出グループに基づく演出内容（ストーリー）について興味を持たせることができる。そして、次の演出グループに基づくストーリーは、大当りとならなければ完結しないため、次の大当りが付与されるまで遊技を継続する意欲を持たせることができる。
【０１１８】
すなわち、前回の大当り遊技からストーリーが開始されて、今回の大当り遊技でストーリーが完結するまで、ストーリーが一繋がりとなり、遊技者を継続的に楽しませることができる。なお、途中に設定された演出グループ（ストーリー演出）以外の演出内容に基づく変動ゲームが大当りとなった場合でも、引き続き同じ演出グループが設定されるため、ストーリーを繋げることができる。
【０１１９】
（７）演出グループは、選択演出において、操作ボタンＢＴが操作されることにより選択可能に構成されている。これにより、遊技者が気になる演出グループ（ストーリー演出）を設定することができ、遊技の興趣を向上することができる。
【０１２０】
（８）大当り遊技の終了後、ストーリー演出モード中のみ、ストーリー演出が実行されうる。このため、どうような演出モードが設定されているかについて注目させることができる。また、ストーリー演出モード終了後に設定されるチャンス演出モードが終了するまで、演出グループが維持される。このため、チャンス演出モード中に大当り遊技が付与されて、ストーリーが継続することを期待させることができる。また、演出モード毎に、変動パターンの振分け及び種類を変更するため、遊技者を飽きさせることがない。また、予め設定期間が決められているストーリー演出モード中のみ、ストーリー演出が実行されうるため、遊技者に緊張感を与え、ストーリー演出の実行時により注目させることができる。
【０１２１】
なお、上記実施形態は、次のような別の実施形態（別例）にて具体化できる。
・上記実施形態では、最終ラウンドのラウンド遊技中に、新たな演出グループを設定できるようになっていたが、ストーリー演出を伴う変動ゲームの終了後に設定を変更するならば、何時変更しても良い。例えば、オープニング演出、エンディング演出、又は最終ラウンドよりも前のラウンド遊技中でもよく、大当り遊技終了後に実行される変動ゲームやデモ演出中などに変更しても良い。
【０１２２】
・上記実施形態では、ストーリー演出を伴う変動ゲームが大当りとなったときに限り、演出グループの設定が変更されたが、ストーリー演出を伴わなくても、変動ゲームが大当りとなった場合には、演出グループの設定を変更しても良い。
【０１２３】
・上記実施形態では、主制御用ＣＰＵ３０ａが、演出モードを設定していたが、演出制御用ＣＰＵ３１ａが演出モードを設定するようにしてもよい。この場合、主制御用ＣＰＵ３０ａにより決定された変動パターンに基づき、演出制御用ＣＰＵ３１ａが、設定されている演出モードに応じて、変動ゲームの具体的な演出内容を変更することとなる。
【０１２４】
・上記実施形態では、各演出モードの設定期間は、任意に変更しても良い。例えば、付与されている遊技状態に応じて演出モードを変更するようにしてもよい。具体的には、始動入賞口へ遊技球が入球する確率が向上する入球率向上状態又は大当り判定の判定確率が高確率となる確変状態が付与されているときにストーリー演出モードが設定されるようにしてもよい。
【０１２５】
・上記実施形態において、演出モードの設定順序は任意に変更しても良い。また、演出モードの種類も任意に変更しても良い。また、各演出モードにおける変動パターンの振分けを任意に変更しても良い。また、演出モードの設定方法も任意に変更してもよい。上記実施形態では、大当り遊技終了後に実行された変動ゲーム数に基づき、演出モードを変更していたが、抽選で変更するようにしても良い。この場合、演出制御用ＣＰＵ３１ａが演出モードの管理、変更を行うことが望ましい。
【０１２６】
・上記実施形態において、初期設定となる演出グループを設定するタイミングは、任意に変更しても良い。例えば、ストーリー演出モード終了時に初期設定となる演出グループを設定するようにしてもよい。
【０１２７】
・上記実施形態では、同じ演出グループ（ストーリー演出）に対応するシナリオであれば、途中まで演出内容を同じとしたが、一部が同じであるならば、シナリオ間の相違を任意に設定してもよい。例えば、同じ演出グループであってもリーチ演出を変更してもよい。
【０１２８】
・上記実施形態では、大当りとなるストーリー演出を伴う変動ゲームに係わる演出内容と、その後に付与される大当り遊技演出の演出内容は、一繋がりのストーリー性を有していたが、繋がっていなくても良い。例えば、変動ゲーム内において、ストーリーが完結しても良い。
【０１２９】
・上記実施形態では、大当りとなるストーリー演出を伴う変動ゲームに係わる演出内容は、１ラウンド目のラウンド遊技が行われるまで、一繋がりのストーリー性を有していたが、１ラウンド目のラウンド遊技が行われるまでに限定する必要はない。例えば、オープニング演出やエンディング演出まで一繋がりのストーリー性を有してもよく、所定のラウンド遊技（例えば、最終ラウンド）まで一繋がりとしても良い。
【０１３０】
・上記実施形態では、１つの演出グループにおいて、演出内容の一部（予告演出）が異なる複数のシナリオが用意されていたが、用意しなくても良い。すなわち、最終的な表示結果が異なる以外は、同じ演出内容のシナリオだけを用意しても良い。
【０１３１】
・上記実施形態では、はずれとなった場合には、演出グループの設定を変更しなかったが、変更する場合があっても良い。例えば、所定回数同じストーリー演出ではずれとなった場合には、演出グループ（ストーリー）の設定を変更できるようにしても良い。
【０１３２】
・上記実施形態において、ストーリー演出中、変動ゲームが大当りとなる可能性を示唆する大当り予告を実行させたが、それ以外の期待度を示唆する予告演出、例えば、特別状態（当り確率が高確率となる確変状態や始動入賞口１４への入球確率が高確率となる入球率向上状態など）が付与される確率を示唆する予告演出でも良い。
【０１３３】
・上記実施形態において、ストーリー演出（演出グループ）の種類は、３種類であったが、任意に変更しても良い。
・上記実施形態において、ストーリー演出の違いにより、当り期待度を異ならせていなかったが、異ならせても良い。例えば、大当り抽選の当選確率が高確率となるときに限り設定可能な演出グループ（ストーリー演出）が存在しても良い。
【０１３４】
・上記実施形態において、エンディング演出において、新たに設定された演出グループを報知したが、報知しなくても良い。また、エンディング演出以外のタイミングで報知するようにしてもよい。例えば、大当り遊技終了後、１回目の変動ゲームにおいて報知してもよい。
【０１３５】
・上記実施形態において、新たに設定される演出グループ（ストーリー演出）の種類は選択演出により選択可能となっていたが、他の方法により設定してもよい。例えば、抽選により新たに設定される演出グループ（ストーリー演出）を決定しても良い。また、例えば、実行させるストーリー演出の順番を予め決めておき、順番に従って、演出グループ（ストーリー演出）を設定するように構成しても良い。
【０１３６】
・上記実施形態において、新たに設定される演出グループを報知する演出では、ストーリーのあらすじや、演出内容の一部を紹介したり、どのような状況となれば大当りとなるかを説明したり、完結する際の条件などを説明したりしてもよい。これにより、遊技者に興味を持たせることができる。また、新たに設定される演出グループを報知する演出は、大当り遊技のエンディング演出中に限らず、大当り遊技終了後の変動ゲーム中や、選択演出中（演出グループを選択する際）などに実行させても良い。
【０１３７】
・上記実施形態において、予告演出は、各ストーリー演出の演出内容に関連性のあるものとし、ストーリー演出を異ならせることにより、予告演出の演出内容、実行タイミング、種類などを任意に変更しても良い。ストーリー演出の演出内容に関連性のある予告演出とは、ストーリーの中に予め組み込まれている演出のことである。例えば、ストーリーの内容がキャラクタの対決である場合には、使用する武器などのアイテムを出現させる予告演出のことであり、期待度に応じてアイテムを異ならせるようにしている。
【０１３８】
・上記実施形態において、選択演出では、操作有効期間中、操作ボタンＢＴが操作される毎に、選択対象となる演出グループが変更されるようになっていたが、選択演出における選択態様は、任意に変更しても良い。例えば、操作ボタンＢＴを十字キーとして選択カーソルＳＫを任意に移動させることができるようにしたり、選択カーソルＳＫを所定時間毎に移動させ、操作ボタンＢＴが操作されたタイミングで、選択対象となる選択画像ＳＧが選択されるような態様にしても良い。また、選択カーソルＳＫを高速移動させることにより、選択カーソルＳＫの対象となる選択画像ＳＧを予め決められた順番で、順次変更させ、操作ボタンＢＴが操作されたタイミングで選択カーソルＳＫの対象となっていた選択画像ＳＧが選択されるようにしてもよい。また、操作ボタンＢＴが操作されたことを契機に、ランダムに選択カーソルＳＫの対象となる選択画像ＳＧが選択されるようにしてもよい。
【０１３９】
・上記実施形態では、パチンコ遊技機に採用したが、パチンコ式スロットマシン（回胴式遊技機、以下、スロット）にて実現させても良い。なお、スロットは、遊技者が開始操作手段（スタートレバー）の操作を行うことを契機に、図柄が配列された複数の回動体（リール）が変動開始すると共に、変動ゲームの当否に関連した当否判定を行うものである。そして、スロットでは、リールの回転後、各リールに対応して設けられた停止操作手段（ストップボタン）の操作を契機に、当否判定に基づく図柄停止処理が実行され、停止した図柄の組み合わせにより遊技価値（賞メダルなど）が付与されるものである。
【０１４０】
また、スロットに採用した場合、演出表示装置１３において必ずしも、飾り図柄変動ゲームを実行させる必要はなく、当否判定の結果を示唆する演出ゲームなどの演出表示を行っていればよい。なお、スロットにおける特定遊技とは、例えば、所定の当否判定の結果（所定の成立役）が成立しやすくなる状態（所謂、リプレイタイムなど）や、所定の図柄組み合わせ（遊技価値を付与する所定の組み合わせ）を停止させやすくする状態（所謂、アシストタイムなど）のことである。
【０１４１】
次に、上記実施形態及び別例から把握できる技術的思想を以下に追記する。
（イ）上記遊技機において、遊技者により操作可能な操作手段を備え、前記演出グループは、前記操作手段が操作されることにより選択可能に構成されているようにしてもよい。
【０１４２】
（ロ）上記遊技機において、前記当り判定手段により変動ゲームが当りとなると判定された場合であって、前記演出グループに基づき変動ゲームに係わる演出内容が決定された場合に、前記設定手段は、当りとなる変動ゲームの終了後、前記演出グループの設定を変更することができるようにしてもよい。
【０１４３】
（ハ）変動ゲームが当りとなるか否かを判定する当り判定手段と、前記当り判定手段の判定結果に基づき、変動ゲームに係わる遊技演出の演出内容を決定する演出内容決定手段と、変動ゲームが当りとなったとき、特定遊技を付与する特定遊技付与手段と、前記特定遊技に係わる遊技演出の演出内容を決定する特定遊技内容決定手段と、前記演出内容決定手段が決定した演出内容に基づき、変動ゲームに係わる遊技演出を実行させると共に、前記特定遊技内容決定手段が決定した演出内容に基づき、特定遊技に係わる遊技演出を実行させるように演出実行手段を制御する演出制御手段と、を備え、前記特定遊技内容決定手段は、前記当り判定手段により変動ゲームが当りとなると判定された場合、当該変動ゲームに係わる演出内容と特定遊技に係わる演出内容が一繋がりのストーリー性を有するように、前記特定遊技に係わる演出内容を決定することを特徴とする遊技機。
【符号の説明】
【０１４４】
ＢＴ…操作ボタン、ＨＤ…発射ハンドル、ＳＯＬ１…大入賞口ソレノイド、ＳＥ１…始動センサ、ＳＥ３…カウントセンサ、ＹＢ…遊技盤、１１…特別図柄表示装置、１３…演出表示装置、１４…始動入賞口、１５…始動入賞装置、１９…大入賞口、２０…大入賞装置、２１…大入賞口扉、２２…保留表示装置、３０…主制御基板、３０ａ…主制御用ＣＰＵ、３０ｂ…主制御用ＲＯＭ、３０ｃ…主制御用ＲＡＭ、３１…演出制御基板、３１ａ…演出制御用ＣＰＵ、３１ｂ…演出制御用ＲＯＭ、３１ｃ…演出制御用ＲＡＭ。
【図１】
2015202355.tif 000003
【図２】
2015202355.tif 000004
【図３】
2015202355.tif 000005
【図４】
2015202355.tif 000006
【図５】
2015202355.tif 000007
【図６】
2015202355.tif 000008